(57)【要約】【課題】従来の収納ボックスでは、収納ボックスの施工作業を施工業者に依頼する必要があり、購入後、直ぐに収納ボックスを使用できない問題と共に、外注費分の費用も嵩むという問題があった。【解決手段】本発明の宅配便受け箱１０では、本体としての収納箱体１１と、収納箱体１１の内部の収納空間１２と、を有し、収納空間１２は、底板部１３にて上下方向に２つの空間へと区分され、上段の第１の収納空間１４は、宅配物を収納する空間として用いられ、下段の第２の収納空間１５は、錘４２を収納する空間として用いられる。この構造により、使用者は、宅配便受け箱１０を購入後、直ぐに、玄関前等に設置し、使用することができると共に、第２の収納空間１５に錘４２を収納することで盗難防止対策も行うことができる。【選択図】図１
2019170411.tif 000002
【特許請求の範囲】
【請求項１】
少なくともその前方側面の一部に開口部が形成される収納箱体と、
前記収納箱体に取り付けられ前記開口部を開閉自在に塞ぐ開閉扉と、
前記収納箱体の収納空間を宅配物が収納される第１の収納空間及び錘が収納される第２の収納空間へと区画する底板部と、を備え、
前記第１の収納空間は、前記開口部と連通状態に設けられ、
前記第２の収納空間は、前記第１の収納空間の下方に設けられると共に、前記開口部との間に前記底板部が配設されていることを特徴とする宅配便受け箱。
【請求項２】
前記収納箱体の底面に設けられる複数のアンカー孔と、
前記アンカー孔に挿通され、その一部が前記第２の収納空間から前記収納箱体の外部へと導出するアンカー係止部と、
前記収納箱体の下方に配設されると共に、前記収納箱体を支持する支持台座と、を備え、
前記支持台座には、前記アンカー係止部が挿入される係止受け部が形成され、
前記収納箱体から導出した前記アンカー係止部が前記係止受け部に挿入されると共に、前記収納箱体の前記底面が前記支持台座と当接した状態にて、前記収納箱体が前記支持台座に支持されていることを特徴とする請求項１に記載の宅配便受け箱。
【請求項３】
前記収納箱体の前記前方側面には、
少なくとも前記開口部の上方及び左右側方に沿って形成される雨避けレール部と、
前記雨避けレール部の下方に位置すると共に、前記雨避けレール部と離間した位置に設けられる巾木部と、を備え、
前記開閉扉の閉状態において、前記雨避けレール部は、前記開閉扉の内側に配設され、前記巾木部は、少なくとも前記左右側方の前記雨避けレール部の下端部と対向するように配設されていることを特徴とする請求項１または請求項２に記載の宅配便受け箱。
【請求項４】
前記巾木部は、前記開閉扉の下端側側面に対して隙間を有すると共に、前記収納箱体の横幅方向に渡り前記下端側側面と対向して配設され、
前記下端側側面には、複数の流体通過孔が形成されていることを特徴とする請求項３に記載の宅配便受け箱。
【請求項５】
前記収納箱体の前記第２の収納空間には、前記底板部を前記底面と略水平となるように支持する底板支持部と、
前記収納箱体の前記前方側面と対向する後方側面には、前記後方側面及び前記底板支持部を前記第２の収納空間まで貫通する貫通孔と、を備え、
前記貫通孔には、前記収納箱体をその周辺の建造物に固定する固定部材が挿通され、前記第２の収納空間には、前記固定部材を施錠する施錠部が収納されることを特徴とする請求項１から請求項４のいずれか１項に記載の宅配便受け箱。
【請求項６】
少なくともその前方側面の一部に開口部が形成される収納箱体と、前記収納箱体に取り付けられ前記開口部を開閉自在に塞ぐ開閉扉と、前記収納箱体の収納空間を区画する底板部と、を備える宅配便受け箱を準備し、
前記収納箱体を前記設置面上に載置し、前記収納空間の前記底面上に錘を配設した後、前記錘を目隠しするように前記収納空間の内部に前記底板部を配設し、前記底板部上方の前記収納空間を宅配物を収納する領域とすることを特徴とする宅配便受け箱の設置方法。
【請求項７】
少なくともその前方側面の一部に開口部が形成される収納箱体と、前記収納箱体に取り付けられ前記開口部を開閉自在に塞ぐ開閉扉と、前記収納箱体の収納空間を区画する底板部と、前記収納箱体の底面に設けられる複数のアンカー孔と、を備える宅配便受け箱を準備し、
前記アンカー孔を介してその一部が前記収納空間から前記収納箱体の外部へと導出するように、前記収納箱体の底面に複数のアンカー係止部を固定し、
その上面に前記アンカー係止部が挿入される係止受け部が形成された支持台座を準備し、前記支持台座を設置面上に配設した後、前記アンカー係止部を前記係止受け部に対して挿入し、前記収納箱体の前記底面が前記支持台座の上面と当接するように、前記収納箱体を前記支持台座上に載置することを特徴とする宅配便受け箱の設置方法。
【請求項８】
前記収納空間の前記底面上に錘を配設した後、前記錘を目隠しするように前記収納空間の内部に前記底板部を配設し、前記底板部上方の前記収納空間を宅配物を収納する領域とすることを特徴とする請求項７に記載の宅配便受け箱の設置方法。
【請求項９】
前記収納箱体の前記前方側面と対向する後方側面には、前記錘が収納された前記収納空間まで貫通する貫通孔が形成され、
前記収納箱体をその周辺の建造物に対して固定する固定部材を前記貫通孔を介して前記錘が収納された前記収納空間内へと挿入した後、前記固定部材を施錠部にて施錠し、前記施錠部を前記錘が収納された前記収納空間内へと配設することを特徴とする請求項６または請求項８に記載の宅配便受け箱の設置方法。
【発明の詳細な説明】
【技術分野】
【０００１】
本発明は、住居人の不在時に宅配物を一時的に収納する宅配便受け箱及びその設置方法に関し、特に、自宅の玄関先や庭等へ簡易に設置し、盗難防止対策や雨対策等が成された宅配便受け箱及びその設置方法に関する。
【背景技術】
【０００２】
近年、インターネット環境の普及と共に、インターネットショッピングも急激に普及し、ユーザーは、自宅に居ながら、希望の商品等を購入することができる。そして、購入した商品等は梱包され、宅配業者により自宅へと配達されるため、インターネットショッピングは、ユーザーにとっては大変便利なサービスである。
【０００３】
その一方、インターネットショッピングの急激な普及に伴い、購入した商品等の宅配物の量も急激に増加し、宅配業者への負担が大幅に増大している。特に、宅配システムには、曜日指定や時間指定等のサービスもあるが、１人暮らしの場合や急な予定等により、配達時に、自宅を不在にしている事も多く、１回の配達により、上記宅配物を引き取れない場合も多い。この場合には、宅配業者は、郵便ポストや玄関ドア等に不在票を残し、再度、配達日程を調整し、宅配物を再配達しなければならず、更に、大きな負担となっている。
【０００４】
尚、大多数の自宅には、新築時等に、郵便受け等が玄関の壁面や門柱に組み込まれた状態にて配設されている。しかしながら、購入した商品の大きさや梱包方法により宅配物の大きさは様々であり、上記郵便受けでは、宅配物を収納することは想定されてなく、ある程度の大きさ以上の宅配物は収納することが出来ないという課題がある。
【０００５】
そこで、上記再配達の負担を解決するための一案として、宅配物を一時的に収納できる宅配便受け箱を自宅の玄関や門柱の前、庭やガレージ内等に設置することが考えられる。そして、その解決方法の一つとして、特許文献１に記載の収納ボックスの設置構造が知られている。図６（Ａ）は、従来の収納ボックスの設置構造を説明する斜視図である。図６（Ｂ）は、従来の収納ボックスの設置構造を説明する分解斜視図である。
【０００６】
図６（Ａ）に示す如く、収納ボックス１００の設置構造は、主に、収納ボックス１００と、設置面上に配設される平面板１０１と、平面板１０１の上面に立設する一対の主柱スタンド１０２、１０３と、錘としてのコンクリートブロック１０４と、により構成されている。
【０００７】
収納ボックス１００は、一対の主柱スタンド１０２、１０３の上端側に、架け渡すように固定されている。そして、収納ボックス１００には、その前面１０５に設けられた投入口１０６を介して、郵便物、宅配物等の比較的小型の配達物が収納される。尚、投入口１０６には、収納ボックス１００の前面１０５に開閉自在に固定された開き戸１０７が配設されている。
【０００８】
図６（Ｂ）に示す如く、平面板１０１は、金属製の板材から成り、その表面には防錆塗装やめっき処理が施され、長期間に渡る屋外での使用に耐え得る構造となっている。また、主柱スタンド１０２、１０３は、中空の金属製の管材から成り、その表面には防錆塗装やめっき処理が施され、長期間に渡る屋外での使用に耐え得る構造となっている。そして、主柱スタンド１０２、１０３は、収納ボックス１００の荷重に耐え得る構造となるため、平面板１０１に対して溶接固定されている。
【０００９】
コンクリートブロック１０４の長手方向の左右両側面には、内側へと湾曲した凹部１０４Ａ、１０４Ｂが設けられている。そして、上記凹部１０４Ａ、１０４Ｂが、主柱スタンド１０２、１０３の外周面に係合するように、コンクリートブロック１０４が、主柱スタンド１０２、１０３間に配設されている。
【００１０】
尚、収納ボックス１００は、固定具１０８を介して一対の主柱スタンド１０２、１０３の上端側に固定されている。
【先行技術文献】
【特許文献】
【００１１】
【特許文献１】特開２０１７−６３９６１号公報
【発明の概要】
【発明が解決しようとする課題】
【００１２】
図６（Ａ）に示す如く、収納ボックス１００は、平面板１０１の上面に一対の主柱スタンド１０２、１０３を溶接固定した台座を用いることで、自宅や門柱を建てた後においても、自宅の玄関前、門柱前、庭やガレージ等に、収納ボックス１００を配設することができる。
【００１３】
しかしながら、収納ボックス１００を購入後、仮に、平面板１０１の上面に一対の主柱スタンド１０２、１０３を溶接固定する場合には、その作業を施工業者に依頼する必要があり、設置工事の日程を調整するため、収納ボックス１００を購入後、直ぐに、利用することが出来ないという問題がある。また、設置作業を施工業者に依頼するため、費用も嵩むという問題もある。
【００１４】
また、コンクリートブロック１０４が、一対の主柱スタンド１０２、１０３の下端側に配設され、収納ボックス１００が、一対の主柱スタンド１０２、１０３の上端側に配設されている。この収納ボックス１００の配設構造により、コンクリートブロック１０４が錘としての役割を果たし、上記台座の転倒防止や盗難防止効果が得られる。
【００１５】
しかしながら、主柱スタンド１０２、１０３の上端側の重量が増大することで、上記台座のバランスが保ち難くなるため、収納ボックス１００には、比較的小型の配達物しか収納することができず、使い勝手が悪いという問題がある。更には、コンクリートブロック１０４が、剥き出しの構造のため、外観上のデザインが悪いという問題がある。
【００１６】
また、上述したように、収納ボックス１００は、住居人の不在時における宅配物の一時収納を目的としているため、玄関先や庭等の雨に濡れ易い環境下に配設されることが多い。そのため、収納ボックス１００に一時収納された宅配物が、雨等により濡れない対策が施されていないと、宅配物が濡れてしまうという問題がある。
【００１７】
本発明は、上記の事情に鑑みてなされたものであり、自宅の玄関先や庭等へ簡易に設置することができると共に、住居人の不在時においても宅配物を一時的に収納し、盗難防止対策や雨対策等が成された宅配便受け箱及びその設置方法を提供することにある。
【課題を解決するための手段】
【００１８】
本発明の宅配便受け箱では、少なくともその前方側面の一部に開口部が形成される収納箱体と、前記収納箱体に取り付けられ前記開口部を開閉自在に塞ぐ開閉扉と、前記収納箱体の収納空間を宅配物が収納される第１の収納空間及び錘が収納される第２の収納空間へと区画する底板部と、を備え、前記第１の収納空間は、前記開口部と連通状態に設けられ、前記第２の収納空間は、前記第１の収納空間の下方に設けられると共に、前記開口部との間に前記底板部が配設されていることを特徴とする。
【００１９】
また、本発明の宅配便受け箱では、前記収納箱体の底面に設けられる複数のアンカー孔と、前記アンカー孔に挿通され、その一部が前記第２の収納空間から前記収納箱体の外部へと導出するアンカー係止部と、前記収納箱体の下方に配設されると共に、前記収納箱体を支持する支持台座と、を備え、前記支持台座には、前記アンカー係止部が挿入される係止受け部が形成され、前記収納箱体から導出した前記アンカー係止部が前記係止受け部に挿入されると共に、前記収納箱体の前記底面が前記支持台座と当接した状態にて、前記収納箱体が前記支持台座に支持されていることを特徴とする。
【００２０】
また、本発明の宅配便受け箱では、前記収納箱体の前記前方側面には、少なくとも前記開口部の上方及び左右側方に沿って形成される雨避けレール部と、前記雨避けレール部の下方に位置すると共に、前記雨避けレール部と離間した位置に設けられる巾木部と、を備え、前記開閉扉の閉状態において、前記雨避けレール部は、前記開閉扉の内側に配設され、前記巾木部は、少なくとも前記左右側方の前記雨避けレール部の下端部と対向するように配設されていることを特徴とする。
【００２１】
また、本発明の宅配便受け箱では、前記巾木部は、前記開閉扉の下端側側面に対して隙間を有すると共に、前記収納箱体の横幅方向に渡り前記下端側側面と対向して配設され、前記下端側側面には、複数の流体通過孔が形成されていることを特徴とする。
【００２２】
また、本発明の宅配便受け箱では、前記収納箱体の前記第２の収納空間には、前記底板部を前記底面と略水平となるように支持する底板支持部と、前記収納箱体の前記前方側面と対向する後方側面には、前記後方側面及び前記底板支持部を前記第２の収納空間まで貫通する貫通孔と、を備え、前記貫通孔には、前記収納箱体をその周辺の建造物に固定する固定部材が挿通され、前記第２の収納空間には、前記固定部材を施錠する施錠部が収納されることを特徴とする。
【００２３】
また、本発明の宅配便受け箱の設置方法では、少なくともその前方側面の一部に開口部が形成される収納箱体と、前記収納箱体に取り付けられ前記開口部を開閉自在に塞ぐ開閉扉と、前記収納箱体の収納空間を区画する底板部と、を備える宅配便受け箱を準備し、前記収納箱体を前記設置面上に載置し、前記収納空間の前記底面上に錘を配設した後、前記錘を目隠しするように前記収納空間の内部に前記底板部を配設し、前記底板部上方の前記収納空間を宅配物を収納する領域とすることを特徴とする。
【００２４】
また、本発明の宅配便受け箱の設置方法では、少なくともその前方側面の一部に開口部が形成される収納箱体と、前記収納箱体に取り付けられ前記開口部を開閉自在に塞ぐ開閉扉と、前記収納箱体の収納空間を区画する底板部と、前記収納箱体の底面に設けられる複数のアンカー孔と、を備える宅配便受け箱を準備し、前記アンカー孔を介してその一部が前記収納空間から前記収納箱体の外部へと導出するように、前記収納箱体の底面に複数のアンカー係止部を固定し、その上面に前記アンカー係止部が挿入される係止受け部が形成された支持台座を準備し、前記支持台座を設置面上に配設した後、前記アンカー係止部を前記係止受け部に対して挿入し、前記収納箱体の前記底面が前記支持台座の上面と当接するように、前記収納箱体を前記支持台座上に載置することを特徴とする。
【００２５】
また、本発明の宅配便受け箱の設置方法では、前記収納空間の前記底面上に錘を配設した後、前記錘を目隠しするように前記収納空間の内部に前記底板部を配設し、前記底板部上方の前記収納空間を宅配物を収納する領域とすることを特徴とする。
【００２６】
また、本発明の宅配便受け箱の設置方法では、前記収納箱体の前記前方側面と対向する後方側面には、前記錘が収納された前記収納空間まで貫通する貫通孔が形成され、前記収納箱体をその周辺の建造物に対して固定する固定部材を前記貫通孔を介して前記錘が収納された前記収納空間内へと挿入した後、前記固定部材を施錠部にて施錠し、前記施錠部を前記錘が収納された前記収納空間内へと配設することを特徴とする。
【発明の効果】
【００２７】
本発明の宅配便受け箱では、収納箱体と、収納箱体に設けられた開口部を開閉自在に塞ぐ開閉扉と、収納箱体の収納空間を第１の収納空間と第２の収納空間へと区分する底板部とを有している。この構造により、収納箱体の第１の収納空間は、宅配物を収納する領域として用いられると共に、第２の収納空間は、底板部にて目隠しされた錘を収納する領域として用いられる。そして、収納箱体の外観上には錘は配設されていないが、内部の錘により収納箱体としては一定の重量を確保し、盗難防止対策が成されると共に、使用者は、宅配便受け箱を購入後、簡単な施工作業にて直ぐに使用することができる。また、盗難防止対策用の錘は、収納箱体の内部に目隠しされた状態にて配設されることで、スタイリッシュなデザインを実現できる。
【００２８】
また、本発明の宅配便受け箱では、収納箱体の底面に複数のアンカー孔が設けられ、アンカー孔を介して上記底面にアンカー係止部が固定される。そして、収納箱体は、アンカー係止部が挿入される係止受け部が設けられた支持台座上面に載置される。この構造により、収納箱体は、支持台座を介して自宅の庭の芝生上面にも安定した状態にて載置することができる。そして、支持台座の重量を利用することで、収納箱体の盗難防止対策を成すこともできる。
【００２９】
また、本発明の宅配便受け箱では、収納箱体の前方側面には、開口部の上方及び左右側方に沿って形成される雨避けレール部が設けられ、雨避けレール部の下方には、対向するように巾木部が設けられている。この構造により、収納箱体が、自宅の庭等の風雨を避けられない場所に設置された場合でも、第１の収納空間内に雨水が浸入することが防止され、第１の収納空間に収納された宅配物が濡れることが防止される。
【００３０】
また、本発明の宅配便受け箱では、巾木部の上端側の側面と対向する開閉扉の下端側の側面には、複数の流体通過孔が形成されている。この構造により、雨避けレール部に沿って流れた雨水は、流体通過孔を介して巾木部の上端側の側面に垂れ落ちた後、巾木部を介して分散して設置面上へと流れる。その結果、収納箱体の周辺に水たまりが出来難くなり、宅配便受け箱から宅配物を出し入れする際に、靴が汚れたり、泥はねにより第１の収納空間内が汚れることが防止される。
【００３１】
また、本発明の宅配便受け箱では、収納箱体の後方側面には、底板支持部の配設領域に第２の収納空間へと連通する２つの貫通孔が形成されている。この構造により、収納箱体は、盗難防止用のワイヤ等の紐状の固定部材により建造物の柱等に括り付けられ、盗難防止対策が成される。また、上記固定部材を施錠する施錠部も底板部にて目隠しされることで、盗難防止対策が成される。
【００３２】
本発明の宅配便受け箱の設置方法では、使用者は、宅配便受け箱を購入後、玄関先のタイル上面等、平坦性を有する設置面に収納箱体を載置した後、収納箱体の第２の収納空間に錘を収納し、その錘を目隠しするように底板部を収納箱体内に配設する。この設置方法により、使用者は、宅配便受け箱を購入後、簡単な施工作業にて直ぐに宅配便受け箱を使用することができると共に、簡単に盗難防止対策を施すことができる。
【００３３】
また、本発明の宅配便受け箱の設置方法では、使用者は、宅配便受け箱を購入後、所望の設置箇所に支持台座を設置し、収納箱体の底面にアンカー孔を介してアンカー係止部を固定し、上記支持台座に対してアンカー係止部を挿入し、支持台座の上面に収納箱体を設置する。この設置方法により、使用者は、自宅の庭の芝生上や砂利道上等、平坦性の悪い設置場所に対しても収納箱体を簡易に設置することができる。
【００３４】
また、本発明の宅配便受け箱の設置方法では、使用者は、収納箱体の底面上にレンガブロック等の錘を収納した後、錘の上面に底板部を配設し、底板部の上方の収納空間を宅配物の収納空間として用いることができる。この設置方法により、使用者は、収納箱体の設置を施工業者に依頼することなく、簡易な施工作業により、簡単に宅配便受け箱の盗難防止対策を施すことができる。
【００３５】
また、本発明の宅配便受け箱の設置方法では、使用者は、収納箱体を所望の設置場所に設置した後、その周辺に建造物の柱等が存在する場合には、収納箱体を盗難防止用のワイヤ等の紐状の固定部材により建造物の柱等に括り付けることができる。この設置方法により、錘及び支持台座を用いた盗難防止対策に組み合わせて、ワイヤ等の紐状の固定部材を用いた盗難防止対策も行うことができる。
【図面の簡単な説明】
【００３６】
【図１】本発明の一実施形態である宅配便受け箱を説明する（Ａ）斜視図、（Ｂ）正面図である。
【図２】本発明の一実施形態である宅配便受け箱を説明する（Ａ）断面図、（Ｂ）断面図である。
【図３】本発明の一実施形態である宅配便受け箱を説明する（Ａ）底面図、（Ｂ）断面図、（Ｃ）斜視図である。
【図４】本発明の一実施形態である宅配便受け箱を説明する（Ａ）背面図、（Ｂ）斜視図、（Ｃ）斜視図である。
【図５】本発明の他の実施形態である宅配便受け箱の設置方法を説明する（Ａ）斜視図、（Ｂ）斜視図である。
【図６】従来の収納ボックスの設置構造を説明する（Ａ）斜視図、（Ｂ）分解斜視図である。
【発明を実施するための形態】
【００３７】
以下、本発明の一実施形態に係る宅配便受け箱１０を図面に基づき詳細に説明する。尚、以下の説明では、本実施形態の説明の際には、同一の部材には原則として同一の符番を用い、繰り返しの説明は省略する。また、上下方向は宅配便受け箱１０の高さ方向を示し、左右方向は宅配便受け箱１０の横幅方向を示し、前後方向は宅配便受け箱１０の奥行方向を示している。
【００３８】
図１（Ａ）は、本実施形態の宅配便受け箱１０を説明する斜視図である。図１（Ｂ）は、本実施形態の宅配便受け箱１０を説明する正面図である。図２（Ａ）は、本実施形態の宅配便受け箱１０を説明する断面図であり、図１（Ｂ）に示すＡ−Ａ線方向の断面である。図２（Ｂ）は、本実施形態の宅配便受け箱１０を説明する断面図であり、図１（Ｂ）に示すＢ−Ｂ線方向の断面である。図３（Ａ）は、本実施形態の宅配便受け箱１０を説明する底面図である。図３（Ｂ）は、本実施形態の宅配便受け箱１０を説明する断面図である。図３（Ｃ）は、本実施形態の宅配便受け箱１０の設置状態を説明する斜視図である。図４（Ａ）は、本実施形態の宅配便受け箱１０を説明する背面図である。図４（Ｂ）及び図４（Ｃ）は、本実施形態の宅配便受け箱１０の設置状況を説明する斜視図である。
【００３９】
図１（Ａ）では、宅配便受け箱１０の開閉扉１７の開状態を示している。図示したように、宅配便受け箱１０は、本体としての収納箱体１１を備え、収納箱体１１の内部に宅配物を収納する収納空間１２を形成している。収納空間１２は、底板部１３にて上下方向に２つの空間へと区分され、上段の第１の収納空間１４は、宅配物を収納する空間として用いられ、下段の第２の収納空間１５（図２参照）は、錘４２（図５（Ｂ）参照）を収納する空間として用いられる。
【００４０】
第１の収納空間１４は、最大にて（縦）４７０ｍｍ×（横）３８０ｍｍ×（奥行）２９８ｍｍの収納領域を有すると共に、最大受取可能重量が、約３０ｋｇである。そして、第１の収納空間１４には、例えば、５００ｍｌの缶ビール２４本入りの段ボールを２箱か、２ｌのペットボトル９本入りの段ボールを１箱か、あるいは、５ｋｇのお米袋が３袋を収納することができる。
【００４１】
収納箱体１１の前方側面１１Ａには、第１の収納空間１４の前面に開口部１６が形成され、その開口部１６を開閉自在に塞ぐように、開閉扉１７が配設されている。開閉扉１７は、例えば、その右端部が、収納箱体１１に回転自在に軸支されている。
【００４２】
また、収納箱体１１の前方側面１１Ａには、開口部１６の上端部及び左右端部に沿って略コの字形状に雨避けレール部１８が形成されている。雨避けレール部１８は、前方側面１１Ａから１０〜１５ｍｍ程度、その前方へと突出している。詳細は後述するが、開閉扉１７は、雨避けレール部１８をその内側に配置させた状態にて閉状態となることで、第１の収納空間１４内へと雨が入り難い構造を実現する。
【００４３】
また、収納箱体１１の前方側面１１Ａには、開口部１６の下方に巾木部１９が配設されている。巾木部１９は、例えば、ステンレス鋼材から形成されている。そして、巾木部１９は、前方側面１１Ａから１０〜１５ｍｍ程度、その前方へと突出している。
【００４４】
巾木部１９が配設されることで、第１の収納空間１４へと宅配物を出し入れする際に、宅配業者や居住人の靴が、収納箱体１１の前方側面１１Ａに直接当たり、前方側面１１Ａが歪み、開閉扉１７の建て付けが悪化することが防止される。
【００４５】
また、詳細は後述するが、巾木部１９は、直方体形状であり、収納箱体１１の横幅方向のほぼ全面に渡り配設されている。そして、巾木部１９の上端側の側面１９Ａには、雨避けレール部１８を流れた雨が垂れ落ちる構造となり、上記雨が、巾木部１９のあらゆる方向の側面から分散して設置面へと流れることで、収納箱体１１の周囲の設置面に水溜りができ難くなる。この構造により、宅配便受け箱１０から宅配物を出し入れする際に、靴が汚れたり、泥はねにより第１の収納空間１４内が汚れることが防止される。
【００４６】
尚、開閉扉１７の内側の後面には、開閉扉１７の機械式の施錠機構２０が配設されている。そして、施錠機構２０のボックス２１内には、受領印用の判子２２を収納するスペースを有し、宅配業者は、第１の収納空間１４に宅配物を収納すると共に、不在時でもその判子２２を用いて受領書へ受領印を押印することができる。
【００４７】
図１（Ｂ）では、宅配便受け箱１０の開閉扉１７の閉状態を示している。図示したように、開閉扉１７の前面には、施錠解除孔２３及び施錠操作部２４が配設されている。施錠操作部２４は、施錠操作レバー２５と、取手部２６と、を有している。そして、施錠操作レバー２５は、上記した施錠機構２０（図１（Ａ）参照）とリンク機構（図示せず）を介して連結している。
【００４８】
施錠操作レバー２５が上端側に位置する場合には、開閉扉１７が非施錠の状態であり、開閉扉１７は取手部２６を用いて誰でも開閉することができる。そして、宅配業者が宅配物を配達した際に、住居人が不在時の場合には、取手部２６を介して開閉扉１７を開け、宅配物を第１の収納空間１４へと収納することができる。尚、開閉扉１７の上記非施錠状態では、施錠操作レバー２５の下方には、例えば、受取可と表示されている。
【００４９】
一方、宅配業者は、宅配物を第１の収納空間１４（図１（Ｂ）参照）に収納し、開閉扉１７を閉じた後、施錠操作レバー２５を下端側まで移動させることで、上記施錠機構２０が駆動し、開閉扉１７は施錠状態となる。この施錠状態では、取手部２６を手前側へと引いても開閉扉１７が開くことなく、宅配物が第三者に持ち去られることが防止される。そして、宅配業者は、一回の配送により、宅配業務を完了させ、再配達の負担を無くすことができる。尚、開閉扉１７の上記施錠状態では、施錠操作レバー２５の上方には、例えば、使用中と表示されている。
【００５０】
また、住居人は、帰宅後に施錠操作部２４の使用中の表示を確認した場合には、鍵を施錠解除孔２３に挿入し上記施錠状態を解除することで、開閉扉１７を開き、宅配物を受け取ることができる。上記解除操作により、施錠機構２０が駆動し、施錠操作レバー２５は、上端側へと戻り、開閉扉１７は非施錠状態となり、開閉扉１７は取手部２６を用いて誰でも開閉することができる。
【００５１】
図２（Ａ）では、図１（Ｂ）のＡ−Ａ線方向の断面を示し、図２（Ｂ）では、図１（Ｂ）のＢ−Ｂ線方向の断面を示すが、図２（Ａ）及び図２（Ｂ）では、説明の都合上、開閉扉１７の内側に配設される施錠機構２０は省略して図示している。また、図２（Ｂ）では、説明の都合上、底板部１３を省略して図示している。
【００５２】
図２（Ａ）に示す如く、収納箱体１１の後方側面１１Ｂの内側には、底板支持部２７が固定されている。そして、底板支持部２７の形状は、その断面形状が略Ｌ字形状である。また、収納箱体１１の前方側面１１Ａ側には、収納箱体１１の一部を内側へと曲げ加工した底板支持部２８が形成されている。また、図２（Ｂ）に示す如く、底板支持部２７、２８は、収納箱体１１の横幅方向に渡り配設されると共に、同一の高さ位置に配設されている。
【００５３】
底板部１３は、収納箱体１１の底面１１Ｃと略水平となるように、底板支持部２７、２８の上面に載置され、収納空間１２の内部に配設されている。そして、収納空間１２は、１つの空間であるが、底板部１３にてその上下方向に区画され、収納空間１２には、宅配物を収納する第１の収納空間１４と、錘４２（図５（Ｂ）参照）を収納する第２の収納空間１５とが形成されている。
【００５４】
つまり、宅配便受け箱１０では、宅配物を収納する箱体と盗難防止用の錘４２を収納する箱体とを個別に設けず、１つの収納箱体１１により実現している。詳細は後述するが、宅配便受け箱１０の購入者は、アンカー固定作業等の一般人では困難な作業を施工業者へ依頼することなく、収納箱体１１を玄関前や庭先等に簡易に設置し、直ぐに使用することができる。
【００５５】
また、図２（Ａ）に示す如く、収納箱体１１の開口部１６は、第１の収納空間１４前方の前方側面１１Ａに形成されている。この構造により、錘４２が収納される第２の収納空間１５は、開閉扉１７の開状態においても、底板部１３により目隠しされ、外観上、錘４２を隠した状態となる。そして、宅配便受け箱１０は、その外観上、錘４２が人目に晒されることがなく、スタイリッシュなデザインが実現されると共に、宅配便受け箱１０の重量は、錘４２の重量により、簡単に持ち運びが出来なくなり、盗難防止対策が施されている。
【００５６】
ここで、図１（Ａ）、図２（Ａ）及び図２（Ｂ）を用いて雨避けレール部１８及び雨水の流路について説明する。図１（Ａ）に示す如く、雨避けレール部１８は、収納箱体１１の前方側面１１Ａと一体に形成されると共に、開口部１６の上端部及び左右端部に沿って略コの字形状に形成されている。具体的には、雨避けレール部１８は、前方側面１１Ａを構成する板材の先端側を折り曲げ加工して形成され、雨避けレール部１８は、前方側面１１Ａから１０〜１５ｍｍ程度、その前方へと突出して形成されると共に、その断面形状が略Ｌ字形状となっている。そして、前方側面１１Ａ及び雨避けレール部１８にて、開口部１６の端部に沿って雨水が流れる流路が形成されている。
【００５７】
図示したように、開口部１６の上端側では、上記流路は上方が開口した流路であり、開閉扉１７と収納箱体１１の前方側面１１Ａとの隙間から内部へ入り込んだ雨水は、雨避けレール部１８の先端突起片１８Ａを乗り越えオーバーフローする前に、開口部１６の左右端部の雨避けレール部１８に沿って下方へと流れ、開閉扉１７の下端側の側面１７Ａ上面へと流れ込む。
【００５８】
また、開口部１６の左右端部側においても、上記流路は収納箱体１１の外側が開口した流路であり、上記雨水は、雨避けレール部１８の先端突起片１８Ａを乗り越える前に雨避けレール部１８に沿って下方へと流れ、開閉扉１７の下端側の側面１７Ａ上面へと流れ込む。
【００５９】
更には、図２（Ａ）及び図２（Ｂ）に示す如く、開閉扉１７の閉状態において、雨避けレール部１８は、開閉扉１７の内側に入り込むように位置すると共に、雨避けレール部１８は、開口部１６の下端部よりも下方まで延在している。
【００６０】
この構造により、宅配便受け箱１０が、門柱前や庭先等と屋根の無い場所に設置された場合、雨水が、開閉扉１７と収納箱体１１の前方側面１１Ａとの隙間から内部へ入り込んでも、雨避けレール部１８により第１の収納空間１４内へ入り込むことが防止される。そして、第１の収納空間１４内に収納された宅配物が、雨水により濡れることが防止される。
【００６１】
図２（Ｂ）に示す如く、開閉扉１７の下端側の側面１７Ａには、複数の流体通過孔２９が形成されている。そして、開閉扉１７内へ入り込んだ雨水は、雨避けレール部１８に沿って下方へと流れ、開閉扉１７の下端側の側面１７Ａ上面へと流れ込む。その後、雨水は、流体通過孔２９を介して巾木部１９の上端側の側面１９Ａへと垂れ落ち、巾木部１９のあらゆる方向の側面から分散して設置面へと流れることで、収納箱体１１の周囲の設置面に水溜りができ難くなる。
【００６２】
また、流体通過孔２９は、収納空間１２、特に、第１の収納空間１４内の空気換気孔としても用いられる。図２（Ａ）に示す如く、開閉扉１７の側面１７Ａと巾木部１９の側面１９Ａとの間には、空気流路となる隙間が形成されている。この構造により、収納空間１２内の空気が、流体通過孔２９を介して換気されることで、夏場等の外気温の高い状況下では、収納空間１２内が高温状態に成り過ぎることが防止される。尚、上記空気の換気は、開閉扉１７と収納箱体１１の前方側面１１Ａとの隙間を介しても行われる。
【００６３】
図３（Ａ）に示す如く、収納箱体１１の底面１１Ｃには、複数のアンカー孔３０が形成され、第２の収納空間１５（図２（Ａ）参照）に連通している。アンカー孔３０は、収納箱体１１を支持台座３１上に設置する際に用いるアンカー係止部３２を収納箱体１１に係止するための孔である。そして、アンカー孔３０は、例えば、４つ形成され、右端部側の２つのアンカー孔３０は、前後方向に渡り底面１１Ｃの側辺に沿って配置されている。左端部側の２つのアンカー孔３０も同様に底面１１Ｃの側辺に沿って配置されている。尚、底面１１Ｃの前端側の２つのアンカー孔３０及び後端側の２つのアンカー孔３０も左右方向に渡り底面１１Ｃの側辺に沿って配置されている。
【００６４】
図３（Ｂ）に示す如く、アンカー係止部３２としては、例えば、ボルト３２Ａとナット３２Ｂが用いられ、ボルト３２Ａの一部が収納箱体１１の底面１１Ｃから導出した状態にて、底面１１Ｃに固定される。それぞれのアンカー孔３０において、例えば、ボルト３２Ａの６角形状の頭部及び軸部が、収納箱体１１の外部に、例えば、１ｃｍ程度導出した状態にて、ボルト３２Ａは、底面１１Ｃに固定されている。
【００６５】
図３（Ｃ）に示す如く、一対の支持台座３１は、例えば、その断面が台形形状のコンクリートブロック３１Ａであり、コンクリートブロック３１Ａの上面には、レール状の係止受け部３１Ｂが、埋め込まれている。そして、係止受け部３１Ｂの幅は、ボルト３２Ａの頭部の幅とほぼ同等であり、係止受け部３１Ｂは、コンクリートブロック３１Ａの長手方向に渡り配設されている。
【００６６】
この構造により、収納箱体１１の底面１１Ｃから露出するボルト３２Ａの頭部を係止受け部３１Ｂに嵌め込む様に、コンクリートブロック３１Ａの上面にて収納箱体１１をスライドさせることで、収納箱体１１の底面１１Ｃが、コンクリートブロック３１Ａの上面と当接すると共に、収納箱体１１は、安定した状態にて支持台座３１上面に設置される。
【００６７】
例えば、庭の芝生上や砂利道上に宅配便受け箱１０を設置する場合には、その設置面の平坦性を確保し難く、直接、収納箱体１１をその設置面上に載置しても安定しない。しかしながら、一定以上の重量を有する支持台座３１を芝生等の設置面上に載置し、その支持台座３１の上面に収納箱体１１を載置することで、宅配便受け箱１０は、安定した状態にて設置される。
【００６８】
図４（Ａ）に示す如く、収納箱体１１の後方側面１１Ｂには、２つの貫通孔３３が形成され、貫通孔３３は、第２の収納空間１５（図２（Ａ）参照）に連通している。点線にて示すように、後方側面１１Ｂの内側には、底板支持部２７が固定されており、貫通孔３３は、後方側面１１Ｂ及び底板支持部２７を貫通して形成されている。
【００６９】
図４（Ｂ）に示す如く、宅配便受け箱１０をガレージや玄関前に設置し、その設置箇所の近くに建造物の柱３４が存在する場合には、盗難防止用のチェーンやワイヤ等の紐状の固定部材３５を用いて、収納箱体１１を柱３４に対して括り付けることができる。
【００７０】
図４（Ｃ）に示す如く、紐状の固定部材３５の両端部は、南京錠等の施錠部３６にて施錠することで、宅配便受け箱１０自体を持ち逃げされることを防止することができる。そして、紐状の固定部材３５や施錠部３６は、第２の収納空間１５に収納され、底板部１３（図１（Ａ）参照）により目隠しされることで、盗難防止対策にもなる。尚、上述したように、貫通孔３３は、後方側面１１Ｂ及び底板支持部２７を貫通して形成されることで、引っ張られた際に、紐状の固定部材３５により破壊され難い耐久性を有している。
【００７１】
次に、本発明の他の実施形態に係る宅配便受け箱１０の設置方法を図面に基づき詳細に説明する。尚、本実施形態の説明では、図１から図４を用いて説明した宅配便受け箱１０を用いるため、同一の部材には原則として同一の符番を用い、繰り返しの説明は省略する。
【００７２】
図５（Ａ）及び図５（Ｂ）は、本実施形態の宅配便受け箱１０の設置方法を説明する斜視図である。尚、本実施形態の宅配便受け箱１０の設置方法を説明する際に、適宜、図１から図４を用いて説明する。
【００７３】
図５（Ａ）では、宅配便受け箱１０を、例えば、玄関前のタイル４１上面に設置し、使用する場合を示している。タイル４１は平坦面を有しており、タイル４１の上面に、直接、収納箱体１１を載置しても、安定した状態にて設置することができる。そのため、使用者は、宅配便受け箱１０を購入後、図３（Ｂ）に示す如く、収納箱体１１の底面１１Ｃのアンカー孔３０にアンカー係止部３２としてのボルト３２Ａとナット３２Ｂとを固定することなく、収納箱体１１を玄関前の所望の箇所に載置する。
【００７４】
次に、使用者は、上記宅配便受け箱１０とは別途、ホームセンター等にて錘４２として、例えば、レンガブロックを１０個購入し、準備する。図５（Ｂ）に示す如く、使用者は、収納箱体１１の開閉扉１７を開けた後、底板部１３（図１（Ａ）参照）を収納空間１２（図１（Ａ）参照）から取り出し、第２の収納空間１５へレンガブロックを収納する。
【００７５】
最後に、第２の収納空間１５にレンガブロックを収納した後、底板支持部２７、２８の上面に底板部１３を載置し、第２の収納空間１５の錘４２を目隠しすることで、底板部１３上方の第１の収納空間１４を宅配物の収納スペースとして利用することができる。尚、図４（Ｂ）に示す如く、玄関先に柱３４が建てられている場合には、盗難防止用のワイヤ等の紐状の固定部材３５を用いて、収納箱体１１を柱３４に対して括り付けることができる。
【００７６】
上述したように、使用者は、宅配便受け箱１０を購入する前後にて、別途、ホームセンター等にて錘４２としてのレンガブロックを購入する必要はあるが、施工業者に宅配便受け箱１０の設置作業を依頼することなく、直ぐに、宅配便受け箱１０を設置し、利用することができる。
【００７７】
また、使用者は、玄関前のタイル４１及びその下面の躯体に対して、収納箱体１１の底面１１Ｃをアンカー固定していないので、台風や長期不在の際等、宅配物が配達されない事が明らかな場合には、宅配便受け箱１０を自宅内に収納することができる。そして、雨対策等は成されているが、宅配便受け箱１０が、必要以上に外部環境に晒されることを防止する。また、宅配便受け箱１０自体が、盗難されることも防止される。
【００７８】
更には、宅配便受け箱１０開口部１６が、設置面であるタイル４１から離れた上方に位置している。この構造により、宅配業者や住居人が、収納箱体１１の第１の収納空間１４に対して宅配物を出し入れする際に、必要以上に腰を落とす必要がなく、腰痛や膝痛等の持病のある人でも使用し易い構造となっている。また、開口部１６とタイル４１との間に手を挿入する十分なスペースがある。その結果、第１の収納空間１４に対して宅配物を出し入れする際に、指や手等をタイル４１にて擦る恐れを防止すると共に、宅配物の下面を手や指にて支えることができるので、宅配物の出し入れ作業が容易となる。更には、収納箱体１１の開閉扉１７を開閉する際に、開閉扉１７の下端側の側面１７Ａが、タイル４１と当たり、開閉扉１７が破損したり、開閉し難くなることが防止される。
【００７９】
次に、図３（Ａ）から図３（Ｃ）を用いて説明したように、宅配便受け箱１０を、例えば、庭の芝生上や砂利道上等にも設置することができる。芝生の上面等は、上記タイル４１の様に平坦性を有していないが、この場合には、芝生の上面等に一対の支持台座３１を設置し、その支持台座３１の上面に収納箱体１１を載置することで、宅配便受け箱１０は、安定した状態にて設置される。
【００８０】
この設置方法では、使用者は、宅配便受け箱１０を購入する前後にて、別途、ホームセンター等にて錘４２としてのレンガブロックや支持台座３１を購入する。次に、使用者は、上述したように、庭の所望の設置場所に一対の支持台座３１及び収納箱体１１を設置する。そして、図５（Ｂ）に示す如く、第２の収納空間１５にレンガブロックを収納した後、底板支持部２７、２８の上面に底板部１３を載置し、第２の収納空間１５の錘４２を目隠しすることで、底板部１３上方の第１の収納空間１４を宅配物の収納スペースとして利用することができる。
【００８１】
図４（Ｂ）に示す如く、庭先に建造物の柱（図示せず）が建てられている場合には、盗難防止用のワイヤ等の紐状の固定部材３５を用いて、収納箱体１１を柱に対して括り付ける場合でも良い。また、この設置方法は、錘４２及び支持台座３１にて、重量を有しているため、その重量によっても十分な盗難防止対策となる。
【００８２】
尚、本実施形態では、錘４２、支持台座３１及び紐状の固定部材３５を用いて宅配便受け箱１０の盗難防止対策を行う場合について説明したが、この場合に限定するものではない。例えば、宅配便受け箱１０の施工業者に依頼し、収納箱体１１の底面１１Ｃのアンカー孔３０を利用し、宅配便受け箱１０を玄関前のタイル４１及びその下面の躯体に対してアンカー固定する場合でも良い。
【００８３】
また、錘４２としてレンガブロックを用いる場合について説明したが、この場合に限定するものではない。例えば、土嚢袋に庭の砂利等を詰め、その土嚢袋を第２の収納空間１５へと収納し、錘４２として用いる場合でも良い。その他、本発明の要旨を逸脱しない範囲にて種々の変更が可能である。
【符号の説明】
【００８４】
１０  宅配便受け箱
１１  収納箱体
１１Ａ  前方側面
１１Ｂ  後方側面
１１Ｃ  底面
１２  収納空間
１３  底板部
１４  第１の収納空間
１５  第２の収納空間
１６  開口部
１７  開閉扉
１８  雨避けレール部
１９  巾木部
２０  施錠機構
２３  施錠解除孔
２４  施錠操作部
２５  施錠操作レバー
２７、２８  底板支持部
２９  流体通過孔
３０  アンカー孔
３１  支持台座
３２  アンカー係止部
３３  貫通孔
３５  紐状の固定部材
３６  施錠部
４２  錘
【図１】
2019170411.tif 000003
【図２】
2019170411.tif 000004
【図３】
2019170411.tif 000005
【図４】
2019170411.tif 000006
【図５】
2019170411.tif 000007
【図６】
2019170411.tif 000008